(57)【要約】【課題】この発明は引き出しが飛び出すのを防止するとともに、引き出すときの操作を容易に行なえるようにした引き出し付き家具を提供することにある。【解決手段】前面が開口し内部に引き出し１１が出し入れ可能に設けられた家具本体２と、引き出しの下部に前後方向に貫通して移動可能に設けられた駆動軸２２と、引き出しの前面下部に駆動軸の一端に連結して設けられた把手２４と、引き出しの背面に回動可能に設けられ引き出しが家具本体に収納されているときに家具本体の後部内面に設けられたストッパ部材４４に係合して引き出しの移動を阻止する係止体４２と、駆動軸の引き出しの背面から突出した他端に設けられ把手に指を掛けて引き出しを引き出すときに、駆動軸が把手とともに引き出しに対して移動することで係止体を係合部との係合が外れる方向に回動させる解除部材３２とを具備する。【選択図】      図２
2008167984.tif 000002
【特許請求の範囲】
【請求項１】
出し入れ可能な引き出しを有する引き出し付き家具であって、
前面が開口し内部に上記引き出しが出し入れ可能に設けられた家具本体と、
上記引き出しの下部に前後方向に貫通して移動可能に設けられた駆動軸と、
上記引き出しの前面下部に上記駆動軸の一端に連結して設けられた把手と、
上記引き出しの背面に回動可能に設けられこの引き出しが上記家具本体に収納されているときに上記家具本体の後部内面に設けられた係合部に係合して上記引き出しの移動を阻止する係止体と、
上記駆動軸の上記引き出しの背面から突出した他端に設けられ上記把手に指を掛けて上記引き出しを引き出すときに、上記駆動軸が上記把手とともに上記引き出しに対して移動することで上記係止体を上記係合部との係合が外れる方向に回動させる解除部材と
を具備したことを特徴とする引き出し付き家具。
【請求項２】
上記把手には、上記引き出しの前面に設けられたガイド孔に移動可能に係合して上記把手が上記駆動軸を中心にして回転するのを阻止するガイドピンが設けられていることを特徴とする請求項１記載の引き出し付き家具。
【請求項３】
上記駆動軸を上記引き出しの背面方向へ付勢した第１のばねと、上記駆動軸が上記第１のばねの付勢力によって移動した状態において上記係止体を上記係合部に係合する回動方向に付勢する第２のばねが設けられていることを特徴とする請求項１記載の引き出し付き家具。
【発明の詳細な説明】
【技術分野】
【０００１】
この発明は箱型状の家具本体に引き出しが出し入れ可能に設けられた引き出し付き家具に関する。
【背景技術】
【０００２】
たとえば箪笥などの家具は、前面が開口した箱型状の家具本体を有し、この家具本体内には複数の引き出しが出し入れ可能に収容されている。このような引き出し付きの家具においては、上記引き出しが家具本体に対して出し入れ自在な構造であるため、たとえば地震などで家具が前後方向に大きく揺れると、引き出しが飛び出してくるということがあった。
【０００３】
そこで、地震などで家具が前後方向に大きく揺れても、引き出しが飛び出すことのないようにした家具が開発されており、そのような先行技術は、たとえば特許文献１に示されている。
【０００４】
特許文献１に示された引き出し付きの家具は、引き出しの前板に凹部を形成し、この凹部の一部を覆う状態で上記前板に把手を設ける。上記凹部には押圧部材を上下動可能に設け、さらに前板の凹部よりも後方には下端を引き出しの下端面に開口した縦孔を形成する。
【０００５】
上記縦孔には上下動可能に係止棒を挿通し、この係止棒の上端部を上記縦孔と上記凹部を連通する横孔から上記凹部に突出させ、この突出部分を上記押圧部材に連結する。上記係止棒の下端は上記引き出しを支持する棚板の上記縦孔の下端に対向する位置に形成された係止孔に係合する。
【０００６】
したがって、上記係止棒の下端が上記係止孔に係合していれば、上記引き出しが家具本体から飛び出してくるのが防止される。また、上記押圧部材を押し上げて係止棒を連動させ、その係止棒の下端を棚板の係止孔から外した状態で、上記把手に指を掛けて引き出しを前方へ引けば、その引き出しを前方へ引き出すことができるようになっている。
【特許文献１】特開平８−２８０４６０号公報
【発明の開示】
【発明が解決しようとする課題】
【０００７】
しかしながら、特許文献１に示された構成の家具によると、引き出しを引き出す際、まず押圧部材を上昇方向へ押圧して係止棒を上昇させ、その係止棒と係合孔との係合を外した後、把手に指を掛けて引き出しを引き出し方向に引くことになる。
【０００８】
上記押圧部材を移動させる方向は上下方向であり、上記引き出しを引き出す方向は水平方向である。そのため、上記引き出しを引き出すためには、押圧部材を移動させる上昇方向の操作と、引き出しを引き出すための水平方向の操作を順次行なわなければならないから、引き出しの引き出し操作が２段階となり、操作がし難いということがあった。
【０００９】
しかも、引き出しの前板に押圧部材を設けることがきる凹部を形成したり、この凹部の奥にさらに係止棒を挿通する縦孔を形成しなければならないため、引き出しの前板の厚さをかなり厚くしなければならなくなり、コストが上昇するということもある。
【００１０】
この発明は、引き出しを家具本体から飛び出さないよう確実に保持することができ、しかも引き出す際には簡単な操作で行えるようにした引き出し付き家具を提供することにある。
【課題を解決するための手段】
【００１１】
この発明は、出し入れ可能な引き出しを有する引き出し付き家具であって、
前面が開口し内部に上記引き出しが出し入れ可能に設けられた家具本体と、
上記引き出しの下部に前後方向に貫通して移動可能に設けられた駆動軸と、
上記引き出しの前面下部に上記駆動軸の一端に連結して設けられた把手と、
上記引き出しの背面に回動可能に設けられこの引き出しが上記家具本体に収納されているときに上記家具本体の後部内面に設けられた係合部に係合して上記引き出しの移動を阻止する係止体と、
上記駆動軸の上記引き出しの背面から突出した他端に設けられ上記把手に指を掛けて上記引き出しを引き出すときに、上記駆動軸が上記把手とともに上記引き出しに対して移動することで上記係止体を上記係合部との係合が外れる方向に回動させる解除部材と
を具備したことを特徴とする引き出し付き家具にある。
【００１２】
上記把手には、上記引き出しの前面に設けられたガイド孔に移動可能に係合して上記把手が上記駆動軸を中心にして回転するのを阻止するガイドピンが設けられていることが好ましい。
【００１３】
上記駆動軸を上記引き出しの背面方向へ付勢した第１のばねと、上記駆動軸が上記第１のばねの付勢力によって移動した状態において上記係止体を上記係合部に係合する回動方向に付勢する第２のばねが設けられていることが好ましい。
【発明の効果】
【００１４】
この発明によれば、把手に指を掛けて引き出しを引き出す方向へ引くだけで、把手に連結された駆動軸が引き出しに対して移動して係止体と係合部との係合が解除されるから、それまで移動不能に保持されていた引き出しを引き出すことができる。
【発明を実施するための最良の形態】
【００１５】
以下、この発明の一実施の形態を図面を参照して説明する。  
図１は家具としての箪笥１を示す斜視図であって、この箪笥１は前面が開口した箱型状の家具本体２を有する。この家具本体２は、天板３、一対の側板４、背面板５（図２に示す）及び底板（図示せず）形成されている。この家具本体２の前面開口には幅方向に沿う複数の仕切り桟７（図２と図３に１つだけ図示）が上下方向に所定間隔で架設されている。  
なお、家具本体２の前面下部には、家具本体２の内部が露出するのを防止する下部覆い板８が設けられている。
【００１６】
上記家具本体２の各仕切り桟７によって仕切られた部分にはそれぞれ引き出し１１が出し入れ可能に収容されている。上記引き出し１１は図２乃至図４に示すように前板１２と後板１３の幅方向の両端部が側板１４によって連結されて矩形枠体が形成されているとともに、この枠体の下面開口部には底板１５が設けられている。それによって、引き出し１１は上面が開口した箱型状に形成されている。
【００１７】
上記前板１２の前面にはこの前板１２よりも大きい前面飾り板１７が周辺部を上記前板１２の周縁部から外方へ突出させて設けられている。一対の側板１４の外面の高さ方向中途部にはインナガイド１８が長手方向に沿って設けられ、このインナガイド１８は上記家具本体２の一対の側板４の内面に前後方向に沿って設けられたアウタガイド１９にスライド可能に係合している。
【００１８】
それによって、各引き出し１１は上記家具本体２に対して出し入れ可能となっており、家具本体２内へ収納したときに上記前面飾り板１７の下端部内面が上記仕切り桟７に当たることで、収納位置が規制されるようになっている。
【００１９】
図２と図３に示すように、上記前面飾り板１７、前板１２及び後板１３の下端部で、上記底板１５よりも下側の部分にはそれぞれ通孔２１が穿設されている。これらの通孔２１には駆動軸２２がスライド可能に挿通されている。つまり、駆動軸２２は引き出し１１の前後方向に貫通して設けられている。
【００２０】
上記駆動軸２２の上記前面飾り板１７から突出した先端は下面に手掛け凹部２３が形成された把手２４が背面の幅方向中途部を連結して設けられている。この把手２４の背面の幅方向両端部には図４に示すように一対のガイドピン２５が突設されていて、これらガイドピン２５は上記前面飾り板１７の前面に開口して形成された一対のガイド孔２６にスライド可能に挿通されている。
【００２１】
それによって、上記把手２４は上記駆動軸２２の軸芯を中心にして回転するのが阻止された状態で、上記前面飾り板１７に対して接離する方向に移動可能となっている。  
なお、上記前面飾り板１７の前面下部の上記把手２４の両側には、図１に示すように帯板状の飾り桟２７が設けられている。
【００２２】
図５（ａ），（ｂ）に示すように、上記駆動軸２２の上記引き出し１１の後板１３から突出した後端部にはワッシャ３１と、このワッシャ３１よりも大径な円盤状の解除部材３２とが第１のばね３３を介してスライド可能に外嵌されている。上記駆動軸２２の後端部にはめねじ３４が形成され、このめねじ３４にはナット３５が螺合されている。
【００２３】
それによって、上記駆動軸２２は上記第１のばね３３の復元力によって後退方向に弾性的に付勢され、その付勢力によって先端に連結された把手２４が上記前面飾り板１７に圧接している。なお、第１のばね３３は引き出し１１をスライドさせる抵抗よりも弱い力で圧縮変形するものが用いられている。
【００２４】
上記引き出し１１の後板１３の外面下部の幅方向中央部、つまり上記駆動軸２２の上記後板１３から突出した後端部に対応する部分には図５（ａ），（ｂ）に示すように一対の支持片３６（一方のみ図示）が設けられた基部材３７がねじ３８によって取付け固定されている。
【００２５】
上記一対の支持片３６には支軸３９が架設されていて、この支軸３９には帯板状の作動杆４１の一端部が回動可能に支持されている。この作動杆４１の一端部には先端部に斜面４２ａを有する鉤部４２ｂが設けられた係止体４２の基端部が連結固定されている。
【００２６】
上記支軸３９には上記作動杆４１と上記基部材３７との間に第２のばね４３が設けられ、上記係止体４２を図５（ａ）に示す状態で弾性的に保持している。その状態において、上記係止体４２の先端部の鉤部４２ｂは係合部としてのＬ字状のストッパ部材４４の一辺に所定間隔で対向している。
【００２７】
上記ストッパ部材４４は上記家具本体２の背面板５の内面に設けられた桟４５に他辺がねじ４６によって取付け固定されている。それによって、上記家具本体２が地震などで前後方向に大きく揺れて上記引き出し１１が家具本体２から飛び出す方向にスライドしようとすると、上記係止体４２の鍔部４２ａが上記ストッパ部材４４に係合して上記引き出し１１が家具本体２から飛び出すのが阻止されるようになっている。
【００２８】
上記引き出し１１を家具本体２から引き出す場合には、引き出し１１の前面に設けられた把手２４に指を掛けて引き出し１１を引き出す方向へ引く。把手２４を引くと、引き出し１１が前方へスライドする前に図３と図５（ｂ）に示すように上記把手２４に連結された駆動軸２２が第１のばね３３を圧縮変形させて把手４とともに前方へスライドする。
【００２９】
上記引き出し１１がスライドせずに上記駆動軸２２がスライドすると、この駆動軸２２の後端に設けられた解除部材３２が上記引き出し１１の後板１３外面に設けられた作動杆４１の他端を押圧し、この作動杆４１を第２のばね４３の付勢力に抗して図５（ａ）に矢印で示す時計方向へ回動させる。
【００３０】
上記作動杆４１が回動すれば、上記係止体４２が連動する。それによって、図５（ｂ）に示すように係止体４２の鉤部４２ｂがストッパ部材４４の他辺から外れる位置に変位するから、上記引き出し１１を家具本体２から引き出すことが可能となる。
【００３１】
引き出し１１を家具本体２から引き出した後、把手２４から指を離せば、駆動軸２２が第１のばね３３の復元力によって引き出し１１に対して後退する方向へ移動し、解除部材３２が作動杆４１から離れる。それによって、作動杆４１は第２のばね４３の復元力によって図５（ａ）に矢印で示す時計方向と逆方向に回動する。
【００３２】
家具本体２から引き出された引き出し１１を収納するため、引き出し１１を家具本体２に押し込むと、引き出し１１の前面飾り板１７が仕切り桟７に当たる前に、第２のばね４３の復元力によって回動した係止体２の鉤部４２ｂの斜面４２ａがストッパ部材４４の他辺に当たって上記係止体２が作動杆４１とともに第２のばね４３の付勢力に抗して図５（ａ）に矢印で示す時計方向へ回動したのち、上記ストッパ部材４４の他辺を過ぎると、上記鉤部４２ｂが上記他辺に対向する位置に復元する。
【００３３】
それによって、上記引き出し１１は上記鉤部４２ｂと上記ストッパ部材４４との係合によって引き出し不能な状態に戻る。
【００３４】
このように、上記構成の箪笥１によれば、家具本体２に収納された引き出し１１は、掛止体４２の鉤部４２ｂとストッパ部材４４との係合によって引き出し不能な状態に保持されているから、地震などによって家具本体２が前後方向に大きく揺れても、上記引き出し１１が家具本体１１から飛び出してくるのを防止することができる。
【００３５】
上記家具本体２内に引き出し不能に収納保持された引き出し１１を引き出す場合には、把手２４に指を掛けてこの把手２４を引く。それによって、把手２４とともに駆動軸２２が引き出しに対してスライドするから、そのスライドによって掛止体４２の鉤部４２ｂとストッパ部材４４との係合が外れ、上記引き出し１１が引き出し可能となる。
【００３６】
すなわち、家具本体２内に引き出し不能に保持された引き出し１１を引き出す場合、鉤部４２ｂとストッパ部材４４と係合を外すためだけの操作をすることなく、把手２４に指を掛けて上記引き出し１１を引くだけで、家具本体２から引き出すことができるため、引き出し１１の引き出し操作を容易に行うことができる。
【図面の簡単な説明】
【００３７】
【図１】この発明の一時氏の形態を示す家具としての箪笥の斜視図。
【図２】引き出しを引き出す前の状態を示す引き出しの断面図。
【図３】引き出しを引き出した状態を示す引き出しの断面図。
【図４】引き出しの把手が設けられた前端部分を家具本体を断面して示す平面図。
【図５】（ａ）は引き出しの後端部に設けられた掛止体とストッパ部材の引き出しを引き出す前の状態を示す説明図、（ｂ）同じく掛止体とストッパ部材の引き出しを引き出した状態を示す説明図。
【符号の説明】
【００３８】
２…家具本体、１１…引き出し、２２…駆動軸、２４…把手、３２…解除部材、３３…第１のばね、４１…作動杆、４２…係止体、４３…第２のばね、４４…ストッパ部材。
【図１】
2008167984.tif 000003
【図２】
2008167984.tif 000004
【図３】
2008167984.tif 000005
【図４】
2008167984.tif 000006
【図５】
2008167984.tif 000007